(57)【特許請求の範囲】
【請求項１】
パネル本体に設けられた空調風の吹出し口と、
前記吹出し口に回動自在に設けられ、前記空調風の吹出し方向を調整するルーバと、
前記パネル本体の前記吹出し口の外側に配設され、前記パネル本体に対して面一となる収納位置と、前記吹出し口から吹出される前記空調風に対向するルーバ方向位置との間で回動自在とされているエアウィングと、
前記エアウィングを前記収納位置と前記ルーバ方向位置との間において回動する回動機構と、を備え、
前記エアウィングには、ルーバ方向に吹出される前記空調風と対向する位置にせり出して前記空調風を遮るウィング部が設けられ、
前記エアウィングが前記収納位置にあるときに、前記ウィング部が前記パネル本体に対して面一とされ、
前記エアウィングには、前記ウィング部の両端部に一体に設けられた一対のアーム部が設けられ、
前記一対のアーム部のそれぞれが前記ルーバの長手方向両端部の外側に設けられている空気調和機。
【請求項２】
前記エアウィングが前記収納位置にあるときに、前記一対のアーム部が前記パネル本体に対して面一となっている請求項１に記載の空気調和機。
【請求項３】
前記エアウィングは、前記ウィング部及び前記一対のアーム部が前記ルーバを取り囲むように配置されている請求項１又は２に記載の空気調和機。
【請求項４】
前記エアウィングは、前記ウィング部及び前記一対のアーム部で形成された門形形状である請求項１から３のいずれかに記載の空気調和機。
【請求項５】
パネル本体に設けられた空調風の吹出し口と、
前記吹出し口に回動自在に設けられ、前記空調風の吹出し方向を調整するルーバと、
前記パネル本体の前記吹出し口の外側に配設され、前記パネル本体に対して面一となる収納位置と、前記吹出し口から吹出される前記空調風に対向するルーバ方向位置との間で回動自在とされているエアウィングと、
前記エアウィングを前記収納位置と前記ルーバ方向位置との間において回動する回動機構と、を備え、
前記エアウィングには、ルーバ方向に吹出される前記空調風と対向する位置にせり出して前記空調風を遮るウィング部が設けられ、
前記エアウィングが前記収納位置にあるときに、前記ウィング部が前記パネル本体に対して面一とされ、
前記ウィング部は、前記パネル本体の各辺の一部を形成している空気調和機。
【請求項６】
前記ウィング部には、前記エアウィングが前記収納位置に回動されたとき、該ウィング部に沿う位置とされ、前記空調風と対向する前記ルーバ方向位置に回動されたとき、該空調風と対向する位置に自立するサブウィングが設けられていることを特徴とする請求項１ないし５のいずれかに記載の空気調和機。
【請求項７】
パネル本体に設けられた空調風の吹出し口と、
前記吹出し口に回動自在に設けられ、前記空調風の吹出し方向を調整するルーバと、
前記パネル本体の前記吹出し口の外側に配設され、前記パネル本体に対して面一となる収納位置と、前記吹出し口から吹出される前記空調風に対向するルーバ方向位置との間で回動自在とされているエアウィングと、
前記エアウィングを前記収納位置と前記ルーバ方向位置との間において回動する回動機構と、を備え、
前記エアウィングには、ルーバ方向に吹出される前記空調風と対向する位置にせり出して前記空調風を遮るウィング部が設けられ、
前記エアウィングが前記収納位置にあるときに、前記ウィング部が前記パネル本体に対して面一とされ、
前記パネル本体には、複数の前記吹出し口が設けられ、それぞれの吹出し口に対応して前記エアウィングが配設された構成とされている空気調和機。
【請求項８】
前記エアウィングは、それぞれ独立して設けられている前記回動機構により個別に回動自在とされていることを特徴とする請求項７に記載の空気調和機。
【請求項９】
前記エアウィングは、前記空調風と対向する前記ルーバ方向位置に回動指令が出されたとき、前記回動機構を介して前記ルーバの位置と対応した位置に回動可能な構成とされていることを特徴とする請求項１ないし８のいずれかに記載の空気調和機。
【請求項１０】
パネル本体に設けられた空調風の吹出し口と、
前記吹出し口に回動自在に設けられ、前記空調風の吹出し方向を調整するルーバと、
前記パネル本体の前記吹出し口の外側に配設され、前記パネル本体に対して面一となる収納位置と、前記吹出し口から吹出される前記空調風に対向するルーバ方向位置との間で回動自在とされているエアウィングと、
前記エアウィングを前記収納位置と前記ルーバ方向位置との間において回動する回動機構と、を備え、
前記エアウィングには、ルーバ方向に吹出される前記空調風と対向する位置にせり出して前記空調風を遮るウィング部が設けられ、
前記エアウィングが前記収納位置にあるときに、前記ウィング部が前記パネル本体に対して面一とされ、
前記回動機構は、前記パネル本体側における前記エアウィングの一端側の回動支点付近に設けられた正逆回転可能なアクチュエータと、該アクチュエータの出力軸に設けられたリールと、一端が前記リールに接続されて巻取り、繰出し可能とされ、他端が前記エアウィングの一端部と対応する前記パネル本体側位置、前記エアウィングの一端部位置、前記エアウィングの他端部位置、前記エアウィングの他端部と対応する前記パネル本体側位置に設けられたワイヤガイドを経由して、前記エアウィングの他端側の回動支点付近に接続されたワイヤとからなるワイヤ式の回動機構とされている空気調和機。
【請求項１１】
前記回動機構は、前記エアウィングの長さ方向に延長され、その両端部が各々前記パネル本体に対して回動自在に支持された回転軸と、正逆回転可能なアクチュエータと、該アクチュエータの回転を前記回転軸に伝達する歯車機構とからなるギア式の回動機構とされていることを特徴とする請求項１ないし９のいずれかに記載の空気調和機。
【発明の詳細な説明】
【技術分野】
【０００１】
本発明は、本発明は、吹出し口と対向する位置に可動し、空調風が直接当たることによるドラフト感を回避し得るエアウィングを備えた空気調和機に関するものである。
【背景技術】
【０００２】
室内の天井面に設置される空気調和機は、ユニット本体の下部に天井パネル、化粧パネル等と称されるパネルが設けられ、そのパネル本体の中央部分に室内の空気を吸込む吸込み口、該吸込み口の周りに空調風を吹出す複数の吹出し口が下向きに開口された構成とされている。複数の吹出し口は、おおかたの場合、吸込み口の周りの一方向、二方向あるいは四方向に設けられることが多く、各吹出し口に空調風の吹出し方向を調整する風向ルーバがモータを介して回動自在に設けられ、風向が任意の方向に調整可能とされている。
【０００３】
しかし、上記の如く、吹出し口に風向ルーバを設け、空調風の吹出し方向を調整可能としているにも拘らず、ルーバの角度等によっては吹出し口の下に居る人に空調風が直接当たり、ドラフト感を与えてしまうことがあった。かかる場合、パネル本体に対して、吹出し口と対向する位置に空調風を遮って風向を変えるための羽根部材（以下、エアウィングという。）をオプション部品として追加設置することにより、ドラフト感を回避する等の方策が採られている。
【０００４】
また、特許文献１には、通常の風向制御板では幅が狭く、吹出し口の下に居る人に対するドラフト感を十分抑制できないことから、パネル本体に一端が回動自在に設けられた第１アームの他端側に連結部を介して第２アームを回転自在に設け、その第２アームの先端に幅広の風向制御用ルーバを固定するとともに、第１アームに対する回転規制用のストッパを設けた構成とし、幅広の風向制御用ルーバを第１アーム、第２アーム上昇させ、吹出し口を閉じてパネル面に収納した位置と、第１アーム、第２アームを下方に延ばして風向制御用ルーバを吹出し口と対向する位置に下降させ、風向を制御する位置との間で可動自在としたものが開示されている。
【先行技術文献】
【特許文献】
【０００５】
【特許文献１】特開２０１０−３２０６２号公報
【発明の概要】
【発明が解決しようとする課題】
【０００６】
しかしながら、エアウィングをオプション品として追加設置するものでは、エアウィングを別購入しなければならないだけでなく、いったんパネル本体に設置されると、天井近くの高所位置に取付けられた状態となるため、その向きを簡単に変更することができない等の課題があった。また、エアウィングを設置することにより、常時パネル本体の表面からエアウィングが下方に垂下った状態となるため、パネル本体や天井面の見栄えを損ねることにもなる等の問題があった。
【０００７】
一方、特許文献１のものは、ドラフト感の抑制を優先した構成とされているため、ドラフト感を積極的に得たい場合の風向制御と、ドラフト感を抑制したい場合の風向制御とを両立することが難しく、使用者が好みに応じて任意に選択することができなくなるだけではなく、リンク機構により幅広の風向制御用ルーバの両端を上下動する構成のため、ねじれが発生し易く、円滑な作動を長期間に亘って保障することが難しい等の課題があった。
【０００８】
本発明は、このような事情に鑑みてなされたものであって、専用のルーバによる風向制御と、そのルーバ位置でのドラフト感の抑制とを両立し得るとともに、構成が簡素で円滑な作動性と外観のデザイン性を確保し得るエアウィングを備えた空気調和機を提供することを目的とする。
【課題を解決するための手段】
【０００９】  上記した課題を解決するために、本発明の空気調和機は、以下の手段を採用する。  すなわち、本発明にかかる空気調和機は、パネル本体に設けられた空調風の吹出し口と、前記吹出し口に回動自在に設けられ、前記空調風の吹出し方向を調整するルーバと、前記パネル本体の前記吹出し口の外側に配設され、前記パネル本体に対して面一となる収納位置と、前記吹出し口から吹出される空調風に対向するルーバ方向位置との間で回動自在とされているエアウィングと、前記エアウィングを前記収納位置と前記ルーバ方向位置との間において回動する回動機構とを備え、前記エアウィングには、ルーバ方向に吹出される前記空調風と対向する位置にせり出して前記空調風を遮るウィング部が設けられ、前記エアウィングが前記収納位置にあるときに、前記ウィング部が前記パネル本体に対して面一となっている。【００１０】  本発明によれば、パネル本体に設けられた吹出し口の外側に、パネル本体に対して面一となる収納位置と、吹出し口から吹出される空調風に対向するルーバ方向位置との間で回動自在とされたエアウィングを配設し、そのエアウィングを回動機構により収納位置と、ルーバ方向位置との２位置間において選択的に回動自在としているため、ルーバ位置によって吹出し口から吹出される空調風が下方に居る人に直接当たり、ドラフト感を与えることがあるが、かかる場合、吹出し口の外側に配設されているエアウィングを吹出し口から吹出される空調風に対向するルーバ方向位置に回動させ、ルーバ方向への空調風の流れを遮って変更することにより、ドラフト感を低減することができる。また、ドラフト感を感じない場合や積極的にドラフト感を得たい場合は、エアウィングを収納位置に回動させて収納することにより、パネル本体と面一にし、一体に同化させた状態にして収納することができる。従って、エアウィングの使用、不使用を任意に選択し、ドラフト感による不快感を簡易に解消して空調フィーリングを改善することができるとともに、不使用時には、エアウィングをパネル本体に一体に同化させて収納することにより、デザイン性を維持することができる。しかも、専用のルーバによる風向制御と、そのルーバ位置でのドラフト感の抑制とを両立することができる。【００１１】  また、本発明の空気調和機は、上記の空気調和機において、前記エアウィングには、前記ウィング部の両端部に一体に設けられた一対のアーム部が設けられており、前記一対のアーム部のそれぞれが前記ルーバの長手方向両端部の外側に設けられ、前記エアウィングが前記収納位置にあるときに、前記一対のアーム部が前記パネル本体に対して面一となっている。【００１２】 また、本発明の空気調和機は、上記の空気調和機において、前記エアウィングは、前記ウィング部及び前記一対のアーム部が前記ルーバを取り囲むように配置されている。 また、本発明の空気調和機は、上記の空気調和機において、前記ウィング部は、前記パネル本体の各辺の一部を形成している。 また、本発明の空気調和機は、上記の空気調和機において、前記エアウィングは、前記ウィング部及び前記一対のアーム部で形成された門形形状である。【００１３】
また、本発明の空気調和機は、上記の空気調和機において、前記ウィング部には、前記エアウィングが前記収納位置に回動されたとき、該ウィング部に沿う位置とされ、前記空調風と対向する前記ルーバ方向位置に回動されたとき、該空調風と対向する位置に自立するサブウィングが設けられていることを特徴とする。
【００１４】
本発明によれば、ウィング部に、エアウィングが収納位置に回動されたとき、ウィング部に沿う位置とされ、空調風と対向するルーバ方向位置に回動されたとき、空調風と対向する位置に自立するサブウィングが設けられているため、エアウィング自体の回動角度に係わりなく、ウィング部がルーバ方向位置に回動されたとき、サブウィングが空調風と対向する位置に自立することにより、空調風の流れを確実に遮ることができ、また、ウィング部が収納位置に回動されたとき、ウィング部に沿う位置とされることから収納の障害となることがなく、従って、エアウィングによるドラフト感の低減効果を確実に確保することができる。
【００１５】
さらに、本発明の空気調和機は、上述のいずれかの空気調和機において、前記パネル本体には、複数の前記吹出し口が設けられ、それぞれの吹出し口に対応して前記エアウィングが配設された構成とされていることを特徴とする。
【００１６】
本発明によれば、パネル本体に複数の吹出し口が設けられ、それぞれの吹出し口に対応してエアウィングが配設された構成とされているため、例えば二方向あるいは四方向に設けられている複数の吹出し口のいずれの吹出し口から吹出される空調風に対しても、個別にエアウィングを機能させてドラフト感を低減することができる。従って、複数の吹出し口のいずれの下方に居た場合においても、選択的にドラフト感を低減または解消することができる。
【００１７】
さらに、本発明の空気調和機は、上記の空気調和機において、前記エアウィングは、それぞれ独立して設けられている前記回動機構により個別に回動自在とされていることを特徴とする。
【００１８】
本発明によれば、エアウィングが、それぞれ独立して設けられている回動機構により個別に回動自在とされているため、複数の吹出し口のルーバ位置が異なることにより、いずれかの吹出し口から吹出される空調風がドラフト感を与えている場合でも、その吹出し口に対応して配設されているエアウィングを独立した回動機構により個別に回動して所定のルーバ方向位置とすることができる。従って、複数の吹出し口に設けられているルーバが個別に回動可能とされている空気調和機においても、各ルーバ位置に対応して個別にエアウィングを回動し、必要に応じてドラフト感を低減または解消することができる。
【００１９】
さらに、本発明の空気調和機は、上述のいずれかの空気調和機において、前記エアウィングは、前記空調風と対向する前記ルーバ方向位置に回動指令が出されたとき、前記回動機構を介して前記ルーバの位置と対応した位置に回動可能な構成とされていることを特徴とする。
【００２０】
本発明によれば、エアウィングが、空調風と対向するルーバ方向位置に回動指令が出されたとき、回動機構を介してルーバの位置と対応した位置に回動可能な構成とされているため、エアウィングを回動してドラフト感を低減しようとしたとき、エアウィングを確実にルーバの回動位置と対応した位置へと回動させ、ルーバ方向に吹出される空調風と対向する位置にエアウィングを位置させることができる。従って、ルーバの回動位置に係わりなく、ルーバ位置と対応して位置にエアウィングを回動させることにより、確実にドラフト感の低減または解消効果を得ることができる。
【００２１】
さらに、本発明の空気調和機は、上述のいずれかの空気調和機において、前記回動機構は、前記パネル本体側における前記エアウィングの一端側の回動支点付近に設けられた正逆回転可能なアクチュエータと、該アクチュエータの出力軸に設けられたリールと、一端が前記リールに接続されて巻取り、繰出し可能とされ、他端が前記エアウィングの一端部と対応する前記パネル本体側位置、前記エアウィングの一端部位置、前記エアウィングの他端部位置、前記エアウィングの他端部と対応する前記パネル本体側位置に設けられたワイヤガイドを経由して、前記エアウィングの他端側の回動支点付近に接続されたワイヤとからなるワイヤ式の回動機構とされていることを特徴とする。
【００２２】
本発明によれば、回動機構が、エアウィングの一端側の回動支点付近に設けられた正逆回転可能なアクチュエータと、その出力軸に設けられたリールと、一端がリールに接続されて巻取り、繰出し可能とされ、他端が各々所定の位置に設けられたワイヤガイドを経由してエアウィングの他端側の回動支点付近に接続されたワイヤとからなるワイヤ式回動機構とされているため、アクチュエータを正転または逆転し、リールにより巻取りまたは繰出されるワイヤを介してエアウィングをその回動支点を支点に吊り上げまたは吊り下ろすことにより、収納位置またはルーバ方向位置に回動することができる。従って、吹出し口に沿って横長形状とされたエアウィングの両端部を一本のワイヤで同時に吊り上げまたは吊り下ろし、スムーズに収納位置またはルーバ方向位置に回動することができ、可動の信頼性を確保することができるとともに、回動機構を少部品数化し、構成の簡素化、低コスト化することができる。
【００２３】
さらに、本発明の空気調和機は、上述のいずれかの空気調和機において、前記回動機構は、前記エアウィングの長さ方向に延長され、その両端部が各々前記パネル本体に対して回動自在に支持された回転軸と、正逆回転可能なアクチュエータと、該アクチュエータの回転を前記回転軸に伝達する歯車機構とからなるギア式の回動機構とされていることを特徴とする。
【００２４】
本発明によれば、回動機構が、エアウィングの長さ方向に延長され、両端部が各々パネル本体に対して回動自在に支持された回転軸と、正逆回転可能なアクチュエータと、アクチュエータの回転を回転軸に伝達する歯車機構とからなるギア式の回動機構とされているため、アクチュエータを正逆回転し、歯車機構（減速歯車機構）を介して回転軸を回転することにより、その回転軸を介してエアウィングの両端部を一本の回転軸を介して同時に収納位置またはルーバ方向位置に回動することができる。従って、吹出し口に沿って横長形状とされたエアウィングの両端部を一本の回転軸を介して同時にスムーズに収納位置またはルーバ方向位置に回動することができ、長期に亘って可動の信頼性を確保することができる。
【発明の効果】
【００２５】
本発明によると、ルーバ位置によって吹出し口から吹出される空調風が下方に居る人に直接当たり、ドラフト感を与えることがあるが、かかる場合、吹出し口の外側に配設されているエアウィングを吹出し口から吹出される空調風に対向するルーバ方向位置に回動させ、ルーバ方向への空調風の流れを遮って変更することにより、ドラフト感を低減することができる。また、ドラフト感を感じない場合や積極的にドラフト感を得たい場合は、エアウィングを収納位置に回動させて収納することによって、パネル本体と面一にし、一体に同化させた状態にして収納することができるため、エアウィングの使用、不使用を任意に選択し、ドラフト感による不快感を簡易に解消して空調フィーリングを改善することができるとともに、不使用時には、エアウィングをパネル本体に一体に同化させて収納することによって、デザイン性を維持することができる。しかも、専用のルーバによる風向制御と、そのルーバ位置でのドラフト感の抑制とを両立することができる。
【図面の簡単な説明】
【００２６】
【図１】本発明の第１実施形態に係る空気調和機を下方から見た一部を破断した状態の斜視図である。
【図２】上記空気調和機のパネル本体に設けられたエアウィングを収納位置とした状態の斜視図である。
【図３】上記空気調和機のパネル本体に設けられたエアウィングをルーバ方向位置とした状態の斜視図である。
【図４】上記エアウィングのワイヤ式回動機構のアクチュエータ設置部を内面側から見たエアウィングを収納位置とした状態の斜視図である。
【図５】上記エアウィングのワイヤ式回動機構のアクチュエータ設置部を内面側から見たエアウィングをルーバ方向位置とした状態の斜視図である。
【図６】上記ワイヤ式回動機構の配置構成を示すエアウィングを収納位置とした状態の斜視図である。
【図７】上記ワイヤ式回動機構を斜め下方から見たエアウィングを収納位置とした状態の斜視図である。
【図８】上記ワイヤ式回動機構を斜め下方から見たエアウィングをルーバ方向位置とした状態の斜視図である。
【図９】上記エアウィングを収納位置とするとともに、ルーバを閉位置としたときの位置関係を示す断面図である。
【図１０】上記ルーバを水平吹出し位置とするとともに、エアウィングをそのルーバ方向位置としたときの位置関係を示す断面図である。
【図１１】上記ルーバを下方吹出し位置とするとともに、エアウィングをそのルーバ方向位置としたときの位置関係を示す断面図である。
【図１２】本発明の第２実施形態に係るギア式回動機構のアクチュエータ設置部を下方から見たエアウィングを収納位置とした状態の斜視図である。
【図１３】上記ギア式回動機構のアクチュエータ設置部を下方から見たエアウィングをルーバ方向位置とした状態の斜視図である。
【図１４】上記ギア式回動機構の配置構成を示すエアウィングを収納位置とした状態の斜視図（Ａ）と、サブウィング設置部の拡大斜視図（Ｂ）である。
【図１５】上記ギア式回動機構の配置構成を示すエアウィングをルーバ方向位置とした状態の斜視図である。
【図１６】上記ギア式回動機構のアクチュエータおよび歯車機構を示す分解斜視図である。
【図１７】上記ギア式回動機構のアクチュエータによりエアウィングを収納位置とした状態の斜視図である。
【図１８】上記ギア式回動機構のアクチュエータによりエアウィングをルーバ方向位置とした状態の斜視図である。
【発明を実施するための形態】
【００２７】
以下に、本発明にかかる実施形態について、図面を参照して説明する。
［第１実施形態］
以下、本発明の第１実施形態について、図１ないし図１１用いて説明する。
図１には、本実施形態に係る空気調和機を斜め下方から見た一部を破断した状態の斜視図が示され、図２には、そのパネル本体に設けられたエアウィングを収納位置とした状態の斜視図、図３には、そのエアウィングをルーバ方向位置とした状態の斜視図が示されている。ここでの空気調和機１は、図１に示されるように、室内の天井面に設置されるタイプの空気調和機であって、ユニット本体２の下部に設けられるパネル本体３の４方向に吹出し口１４が設けられた構成の空気調和機１が例示されている。
【００２８】
ユニット本体２は、天井内に設置される四方体形の下方が開口された箱体であり、内部の中心部位に設置されたターボファン４と、その周りを囲むように配置された四角形状に曲げ成形されている熱交換器５と、熱交換器５の下部に配置されたドレンパン６と、ドレンパン６の周囲壁とユニット本体２の内周面との間に形成された吹出し風路７と、ターボファン４の吸込み側に配置されたベルマウス８等を備えた構成とされている。なお、この空気調和機１は、室外機に対して液管およびガス管からなる２本の冷媒配管９および電気配線１０を介して接続されることになる。
【００２９】
ユニット本体２の下面を覆うように設置される天井パネル、化粧パネルとも称されるパネル本体３は、略正方形状をなすパネルであって、中央部位に室内の空気を吸込むための開口（吸込み口）１１が設けられており、その吸込み口１１には、吸込みグリル１２が設置されている。吸込みグリル１２は、グリル内面側にエアフィルタ（図示省略）が設置されており、そのエアフィルタを交換あるいは清掃するため、パネル本体３に対して、ワイヤ１３、図示省略の昇降モータ等を介して室内の床面近くまで降下されるように昇降自在に設置されている。なお、エアフィルタを自動清掃するため、エアフィルタ自動清掃機構を組み込んだ構成としてもよい。
【００３０】
また、パネル本体３には、室内空気の吸込み口１１の周りを取り囲むように、パネル本体３の４辺に対応して４方向にそれぞれ吹出し口１４が設けられており、各吹出し口１４から熱交換器５で冷却または加熱された空気が空調風として室内に吹出されるようになっている。４方向の吹出し口１４には、それぞれ空調風の吹出し方向（風向）を調整するためのルーバ１５が回動自在に設置されており、アクチュエータ（モータ）１６（図１２等を参照）を介して個別に独立して回動されるようになっている。
【００３１】
さらに、パネル本体３には、図２，３に示されるように、各吹出し口１４の外側に配設され、パネル本体３に対して面一となる収納位置（図２位置）と、吹出し口１４から吹出される空調風と対向するルーバ方向位置（図３位置）との間で回動自在とされているエアウィング１７が設けられている。このエアウィング１７は、吹出し口１４と対向するルーバ方向位置にせり出すことにより空調風を遮って風向を変える平板状の部材であり、各吹出し口１４から吹出される空調風が下方に居る人に直接当たることによるドラフト感を低減あるいは解消するためのものである。
【００３２】
エアウィング１７は、各吹出し口１４からルーバ方向に吹出される空調風と対向する位置にせり出して空調風を遮るウィング部１８と、そのウィング部１８の両端部に一体に設けられているアーム部１９とを備えた門型形状をなすものであり、アーム部１９の基端部がパネル本体３に対して、支軸２０（図６等を参照）を介して回動自在に支持され、上記した収納位置とルーバ方向位置との２位置間で回動可能とされている。以下に、エアウィング１７の具体的構成を、図４ないし図１１を用いて詳しく説明する。
【００３３】
エアウィング１７のウィング部１８およびアーム部１９は、パネル本体３の一部を形成するものであり、図２に示される収納位置に回動されたとき、各々の表面（下面）がパネル本体３の表面（下面）と面一とされるようになっている。ウィング部１８は、吹出し口１４と同等の長さを有し、その外側に沿って配置され、パネル本体３の各辺の一部を形成する一定の幅寸法を有する樹脂製の平板状部材であり、その両端部にウィング部１８よりも幅の狭いアーム部１９が一体に成形された門型形状とされている。このウィング部１８および両アーム部１９の裏面側には、リブが一体に成形され、各々の強度および剛性が確保されるように構成されている。
【００３４】
また、両アーム部１９の基端部には、エアウィング１７をパネル本体３に対して回動自在に支持する支軸２０が一体に設けられている。更に、ウィング部１８には、基端側がウィング部１８の内端縁側に回動自在に支持され、エアウィング１７が収納位置に回動されたとき、外端側がウィング部１８の裏面に沿った収納位置（図９参照）とされ、エアウィング１７がルーバ方向位置に回動されたとき、外端側が上方に自立して空調風を遮る位置に回動（図１０および１１参照）するサブウィング２１が設けられている。
【００３５】
このサブウィング２１は、両端の支軸２２がウィング部１８に設けられた軸承部２３に回動自在に支持されており、また、ルーバ方向位置に回動するため、後述するようにワイヤ２９が架けられ、吊り下げまたは吊り上げられるようになっていることから、エアウィング１７が自重により吊り下げられたとき、上記のようにウィング部１８から外端側が上方に自立するようになっている。なお、後述する第２実施形態のように、コイルばね２４を設けることにより自立方向に回動付勢するようにしてもよい。
【００３６】
エアウィング１７は、回動機構２５を介してパネル本体３と面一となる収納位置（図２位置）と、吹出し口１４から吹出される空調風と対向するルーバ方向位置（図３位置）との２位置間において回動自在されている。この回動機構２５は、エアウィング１７の一方のアーム部１９の回動支点近傍位置において、パネル本体３側に固定配置されたアクチュエータ（モータ）２７と、アクチュエータ２７の出力軸に固着されたリール２８と、一端がリール２８に接続されることにより巻取り、繰出し可能とされているワイヤ２９を備えている。
【００３７】
上記ワイヤ２９の他端は、アーム部１９に沿うパネル本体３側位置、ウィング部１８の一端部と対応する直上のパネル本体３側位置、サブウィング２１の一端部位置、サブウィング２１の他端部位置、ウィング部１８の他端部と対応する直上のパネル本体３側位置にそれぞれ設置された複数のワイヤガイド３０ないし３４を経由して、エアウィング１７の他端側アーム部１９の回動支点付近位置に接続固定されている。
【００３８】
かかる回動機構２５は、アクチュエータ２７により正逆回転されるリール２８を介してワイヤ２９を繰出し、または巻取ることにより、エアウィング１７の外端部側を吊り下げまたは吊り上げて回動するワイヤ式の回動機構とされており、１本のワイヤ２９の繰出しまたは巻取りによって、エアウィング１７の両端部を同時にスムーズに収納位置と、ルーバ方向位置との２位置間において回動可能としたものである。
【００３９】
上記回動機構２５は、４方向の吹出し口１４に対応して設けられている４組のエアウィング１７を各々独立して個別に回動できるように、各々のエアウィング１７に対応して４組設けられている。この４組の回動機構２５は、４方向の対角上の２箇所位置に各々２組のアクチュエータ２７およびリール２８が対向して配設されており、それらを共通の蓋部材（図示省略）で覆うことによって、天井裏からの動物や虫の侵入あるいは塵埃の侵入を防ぐようにした構成とされている。
【００４０】
また、各回動機構２５は、使用者が選択したエアウィング１７を動作させてドラフト感を低減または解消するため、リモコンをＯＮ操作したとき、そのエアウィング１７に対応した回動機構２５のアクチュエータ２７を正回転し、リール２８をワイヤ２９の繰出す方向に回転することにより、エアウィング１７を自重によって下降させ、ルーバ１５により調整されている空調風の吹出し方向と対向したルーバ方向位置に回動させる構成とされている。つまり、各回動機構２５は、リモコンのＯＮ操作時、ルーバ１５を回動するアクチュエータ１６（図１２等参照）の回動位置を検知し、その位置と対応したルーバ方向位置にエアウィング１７を回動する構成とされている。
【００４１】
これによって、例えば図１０に示されるように、ルーバ１５が水平方向吹出し位置とされているとき、エアウィング１７はその位置に対応したルーバ方向位置に回動され、自立したサブウィング２１がルーバ方向への空調風の流れを遮って変更することにより、ドラフト感を低減し、また、図１１に示されるように、ルーバ１５が下方吹出し位置とされているとき、エアウィング１７はその位置に対応したルーバ方向位置に回動され、自立したサブウィング２１がルーバ方向への空調風の流れを遮って変更することにより、ドラフト感を低減または解消し得るようになっている。
【００４２】
一方、特に空調風によるドラフト感を感じない場合や積極的にドラフト感を得たい場合には、リモコンをＯＦＦ操作することにより回動機構２５のアクチュエータ２７を逆回転させ、リール２８をワイヤ２９の巻取り方向に回転させてワイヤ２９を巻取り、エアウィング１７を吊り上げることによって、図９に示されるように、エアウィング１７をパネル本体３の表面と面一となる収納位置に回動し得るようになっている。
【００４３】
以上に説明の構成により、本実施形態によれば、以下の作用効果を奏する。
上記空気調和機１の運転時、室内空気はターボファン４が回転されることにより、パネル本体３の吸込み口１１から吸込みグリル１２、ベルマウス８を経てユニット本体２内に吸込まれる。ユニット本体２内でターボファン４から遠心方向に吹出された空気は、ターボファン４の周囲に配置されている熱交換器５を通過する過程で冷媒と熱交換され、冷却または加熱されて温調された後、吹出し風路７、パネル本体３の四方向に設けられている吹出し口１４から室内に吹出され、室内の空調に供される。
【００４４】
パネル本体３の吹出し口１４から室内に吹出される空調風は、吹出し口１４に設けられているルーバ１５により吹出し方向が調整可能であり、使用者の設定によりリモコンを介してアクチュエータ（モータ）１６（図１２参照）を駆動し、ルーバ角度を任意の方向に変えることで吹出方向を調整することができる。ルーバ１５の角度は、吹出し口１４毎にリモコンによりアクチュエータ１６を介して個別に独立して変更できるため、使用者が任意にその角度を設定し、吹出し方向を調整することができる。
【００４５】
空調風の吹出し方向は、一般に冷房時は水平方向、暖房時は下向き方向とするのがよいとされているが、ルーバ１５の角度や空気調和機１の下方での居場所によっては、空調風が直接当たることによるドラフト感により、不快感を与える場合がある。このようなドラフト感は、ルーバ１５の角度を変えることによって或る程度解決できるが、全体の空調フィーリングへの影響もあるので、ルーバ１５の角度を変更するだけでドラフト感を全て解消することは困難である。
【００４６】
しかるに、本実施形態によれば、ルーバ１５とは別に、パネル本体３に下向きに開口されている吹出し口１４の外側に、パネル本体３に対して面一となる収納位置と、吹出し口１４から吹出される空調風に対向するルーバ方向位置との間で回動自在とされたエアウィング１７を配設し、そのエアウィング１７を回動機構２５により収納位置と、ルーバ方向位置との２位置間において選択的に回動自在としているため、ルーバ位置により吹出し口１４から吹出される空調風が下方に居る人に直接当たることでドラフト感を受けるような場合、エアウィング１７を吹出し口１４から吹出される空調風に対向するルーバ方向位置にせり出させ、ルーバ方向への空調風の流れを遮って変更することにより、ドラフト感を低減することができる。
【００４７】
また、ドラフト感を感じない場合や積極的にドラフト感を得たい場合は、エアウィング１７を収納位置に回動させて収納することにより、パネル本体３と面一にし、一体に同化させた状態にして収納することができる。従って、エアウィング１７の使用、不使用を任意に選択し、ドラフト感による不快感を簡易に解消して空調フィーリングを改善することができるとともに、不使用時には、エアウィング１７をパネル本体３に一体に同化させて収納することにより、デザイン性を維持することができる。しかも、専用のルーバによる風向制御と、そのルーバ位置でのドラフト感の抑制とを両立することができる。
【００４８】
さらに、上記エアウィング１７は、ルーバ方向に吹出される空調風と対向してルーバ方向への吹出しを遮るウィング部１８と、その両端に一体に設けられ、基端部がパネル本体３側に回転自在に支持されるアーム部１９とを備えた構成とされているため、パネル本体３側に回転自在に支持されているアーム部１９を介してウィング部１８をルーバ方向位置に回動し、吹出し口１４からルーバ方向に吹出される空調風と対向する位置にせり出させることにより、空調風の流れを遮って変更することができる。従って、吹出し口１４に設けられているルーバ１５による風向制御機能を維持したまま、必要に応じてエアウィング１７をルーバ方向位置に回動することにより、ドラフト感を選択的に低減または解消することができる。
【００４９】
また、エアウィング１７は、ウィング部１８に対して、エアウィング１７が収納位置に回動されたとき、ウィング部１８に沿う位置とされ、空調風と対向するルーバ方向位置に回動されたとき、空調風と対向する位置に自立するサブウィング２１が設けられた構成とされている。このため、エアウィング１７自体の回動角度に係わりなく、ウィング部１８がルーバ方向位置に回動されたとき、サブウィング２１が空調風と対向する位置に自立することによって空調風の流れを確実に遮ることができ、しかも、ウィング部１８が収納位置に回動されたとき、サブウィング２１がウィング部１８に沿う位置とされることから収納の障害となることがなく、エアウィング１７によるドラフト感の低減効果を確実に確保することができる。
【００５０】
また、本実施形態では、パネル本体３の四方向に吹出し口１４が設けられ、それぞれの吹出し口１４に対応してエアウィング１７が配設された構成とされているため、例えば一方向、二方向あるいは四方向に設けられている複数の吹出し口１４のいずれの吹出し口１４から吹出される空調風に対しても、個別にエアウィング１７を機能させることにより、ドラフト感を低減することができる。従って、複数の吹出し口１４のいずれの下方に居た場合においても、選択的にドラフト感を低減または解消することができる。
【００５１】
さらに、上記エアウィング１７は、それぞれ独立して設けられている回動機構２５により個別に回動自在とされている。このため、複数の吹出し口１４のルーバ位置が異なることによって、いずれかの吹出し口１４から吹出される空調風がドラフト感を与えている場合でも、その吹出し口１４に対応して配設されているエアウィング１７を独立した回動機構２５により個別に回動して所定のルーバ方向位置とすることができる。従って、複数の吹出し口１４に設けられているルーバ１５が個別に回動可能とされている空気調和機１においても、各ルーバ位置に対応して個別にエアウィング１７を回動し、必要に応じてドラフト感を低減または解消することができる。
【００５２】
また、上記エアウィング１７は、空調風と対向するルーバ方向位置に回動指令が出されたとき、回動機構２５を介してルーバ１５の位置と対応した位置に回動可能な構成とされているため、エアウィング１７を回動してドラフト感を低減しようとしたとき、エアウィング１７を確実にルーバ１５の回動位置と対応した位置に回動させ、ルーバ方向に吹出される空調風と対向する位置にエアウィング１７を位置させることができる。従って、ルーバ１５の回動位置に係わりなく、ルーバ位置と対応して位置にエアウィング１７を回動させることにより、確実にドラフト感の低減または解消効果を得ることができる。
【００５３】
さらに、本実施形態においては、回動機構２５が、エアウィング１７の一端側の回動支点付近に設けられた正逆回転可能なアクチュエータ（モータ）２７と、その出力軸に設けられたリール２８と、一端がリール２８に接続されて巻取り、繰出し可能とされ、他端が各々所定の位置に設けられたワイヤガイド３０ないし３４を経由してエアウィング１７の他端側の回動支点付近に接続されたワイヤ２９とからなるワイヤ式の回動機構２５とされている。
【００５４】
このため、アクチュエータ２７を正転または逆転し、リール２８により巻取りまたは繰出されるワイヤ２９を介してエアウィング１７をその回動支点を支点に吊り上げまたは吊り下ろすことにより、収納位置またはルーバ方向位置に回動することができる。これによって、吹出し口１４に沿って横長形状とされたエアウィング１７の両端部を一本のワイヤ２９で同時に吊り上げまたは吊り下ろし、スムーズに収納位置またはルーバ方向位置に回動することができ、可動の信頼性を確保することができるとともに、回動機構２５を少部品数化し、構成の簡素化、低コスト化することができる。
【００５５】
［第２実施形態］
次に、本発明の第２実施形態について、図１２ないし図１８を用いて説明する。
本実施形態は、上記した第１実施形態に対して、エアウィング１７を回動する回動機構４０の構成が異なっている。その他の点については、第１実施形態と同様であるので説明は省略する。
本実施形態の回動機構４０は、図１２、図１３に示されるように、各吹出し口１４に設けられたルーバ１５を回動するアクチュエータ（モータ）１６と隣接してパネル本体３側に配設された正逆回転可能なアクチュエータ（モータ）４１と、エアウィング１７の両端アーム部１９の基端部近傍において、パネル本体３に支持部４３を介して回動自在に支持され、支軸２０を介して回動自在に支持された両端アーム部１９の基端部近くでリンクアーム４４を介して連結された回転軸４２と、アクチュエータ４１の回転を回転軸４２に伝達する歯車機構（減速歯車機構）４５とからなるギア式の回動機構とされている。
【００５６】
このギア式回動機構４０は、吹出し口１４毎に設けられるエアウィング１７に対応してそれぞれ４組設けられ、各エアウィング１７を個別に独立して回動し、収納位置とルーバ方向位置との２位置間において選択的に回動自在としている。また、回転軸４２は、エアウィング１７の両端部のアーム部１９を同時に回動するため、エアウィング１７の長さ方向に延長し、その両端部をパネル本体３に対して回動自在に支持し、同時に回動可能な軸としている。
【００５７】
なお、本実施形態においては、図１４、図１５に示されるように、各エアウィング１７のウィング部１８に設けられるサブウィング２１は、両端の支軸２２がウィング部１８に設けられた軸承部２３に回動自在に支持されるとともに、その長さ方向の例えば３箇所でウィング部１８側とサブウィング２１側との間に介在されたコイルばね２４を介して常に自立方向に回動付勢されるように設置されている。
【００５８】
斯くして、本実施形態においても、回動機構４０が、エアウィング１７の長さ方向に延長され、その両端部が各々パネル本体３に対して回動自在に支持する回転軸４２と、正逆回転可能なアクチュエータ４１と、アクチュエータ４１の回転を回転軸４２に伝達する歯車機構４５とからなるギア式の回動機構とされているため、アクチュエータ４１を正逆回転し、歯車機構（減速歯車機構）４５を介して回転軸４２を回転することにより、その回転軸４２を介してエアウィング１７の両端アーム部１９を一本の回転軸４２を介して同時に収納位置またはルーバ方向位置に回動することができる。
【００５９】
これによっても、吹出し口１４に沿って横長形状とされたエアウィング１７の両端部を一本の回転軸４２を介して同時にスムーズに収納位置またはルーバ方向位置に回動することができ、長期に亘って可動の信頼性を確保することができる等、上記第１実施形態と同様の作用効果を得ることができる。
【００６０】
なお、本発明は、上記実施形態にかかる発明に限定されるものではなく、その要旨を逸脱しない範囲において、適宜変形が可能である。例えば、上記実施形態では、パネル本体３の四方向にルーバ１５を備えた吹出し口１４を設け、それぞれの吹出し口１４に対応してエアウィング１７を配設した空気調和機１の例について説明したが、吹出し口１４が二方向に設けられている空気調和機等に対しても同様に適用できることはもちろんである。
【００６１】
また、エアウィング１７は、吹出し風路中におかれ、冷房時は冷風により冷却状態とされることから、室内空気が接触することにより結露の発生が予測されるので、必要に応じて結露防止用のインシュレーションを貼り付けてもよい。
さらに、ルーバ１５用のアクチュエータ１６と、エアウィング１７用のアクチュエータ２７，４１を共用化し、リンク機構を介して共通のアクチュエータによりルーバ１５およびエアウィング１７を回動可能としてもよい。
【符号の説明】
【００６２】
１  空気調和機
３  パネル本体
１４  吹出し口
１５  ルーバ
１７  エアウィング
１８  ウィング部
１９  アーム部
２０  支軸
２１  サブウィング
２２  支軸
２３  軸承部
２５，４０  回動機構
２７，４１  アクチュエータ（モータ）
２８  リール
２９  ワイヤ
３０，３１，３２，３３，３４  ワイヤガイド
４２  回転軸
４４  リンクアーム
４５  歯車機構  
【図１】
0006538119.tif 000002
【図２】
0006538119.tif 000003
【図３】
0006538119.tif 000004
【図４】
0006538119.tif 000005
【図５】
0006538119.tif 000006
【図６】
0006538119.tif 000007
【図７】
0006538119.tif 000008
【図８】
0006538119.tif 000009
【図９】
0006538119.tif 000010
【図１０】
0006538119.tif 000011
【図１１】
0006538119.tif 000012
【図１２】
0006538119.tif 000013
【図１３】
0006538119.tif 000014
【図１４】
0006538119.tif 000015
【図１５】
0006538119.tif 000016
【図１６】
0006538119.tif 000017
【図１７】
0006538119.tif 000018
【図１８】
0006538119.tif 000019